(57)【要約】  本発明は、第１の差込側端部および第１の差込側端部と軸方向に対向する第２の差込側端部を有する外側導体と、第１の差込側端部および第１の差込側端部と軸方向対向する第２の差込側端部を有する内側導体とを備える同軸コネクタ（１００；３００）に関する。本発明は、上記内側導体が、内側導体の第１の差込側端部を形成する第１の内側導体部品（３０）と、内側導体の第２の差込側端部を形成する第２の内側導体部品（３２）との別個の２つの内側導体部品（３０，３２）を有することを特徴とする。内側導体の２つの内側導体部品（３0，３２）は、互いに対して軸方向に移動できるように配置、構成され、内側導体は、２つの内側導体部品（３０，３２）の間で内側導体蛇腹（３４）を形成している。内側導体蛇腹（３４）は、内側導体蛇腹（３４）の長さが変化すると、変動する内側導体蛇腹（３４）のキャパシタンスが、それに対応して逆向きに変動する蛇腹自体のインダクタンスによって補償され、内側導体蛇腹（３４）の長さが変化しても、同軸コネクタの特性インピーダンスがほぼ一定のままになるように構成される。
2010531526.tif 000002
【特許請求の範囲】
【請求項１】
第１の挿入用端部および該第１の挿入用端部と軸方向に対向する位置にある第２の挿入用端部を有する外側導体と、第１の挿入用端部および該第１の挿入用端部と軸方向に対向する位置にある第２の挿入用端部を有する中心導体と、を備えた同軸コネクタ（１００，３００）であって、
前記中心導体は、前記中心導体の前記第１の挿入用端部を形成する第１の中心導体部品（３０）と、前記中心導体の前記第２の挿入用端部を形成する第２の中心導体部品（３２）との２つの別部品（３０，３２）を有するとともに、前記中心導体は、２つの中心導体部品（３０，３２）の間に弾性中心導体蛇腹（３４）の形を有することで、前記中心導体の前記２つの部品（３０，３２）は、互いに軸方向に移動できるように配置、設計され、
前記弾性中心導体蛇腹（３４）は、その長さが変化しても同軸コネクタの特性インピーダンスがほぼ一定のままであるように、その蛇腹の変動したキャパシタンスが、それに対応して逆向きに変動する蛇腹自体のインダクタンスによって補償されるように設計されることを特徴とする同軸コネクタ（１００，３００）。
【請求項２】
前記外部導体は、該外部導体の前記第１の挿入用端部を形成する第１の外側導体部品（１４）と、前記外部導体の前記第２の挿入用端部を形成する第２の挿入用端部（１６）との２つの別部品（１４，１６）を有するとともに、前記外側導体の前記２つの部品（１４，１６）は、互いに軸方向に移動できるように配置、設計され、
前記外側導体の前記２つの部品（１４，１６）を互いに軸方向に引き離す第１の弾力性のある弾性部材（２２）が前記外側導体に設けられていることを特徴とする請求項１に記載の同軸コネクタ（１００，３００）。
【請求項３】
前記外側導体は、前記２つの外側導体部品（１４，１６）の間に弾性外側導体蛇腹（１８）の形を有し、前記弾性外側導体蛇腹（１８）は、その長さが変化しても同軸コネクタの特性インピーダンスがほぼ一定のままであるように、その蛇腹の変動したキャパシタンスが、それに対応して逆向きに変動する蛇腹自体のインダクタンスによって補償されるように設計されることを特徴とする請求項２に記載の同軸コネクタ（３００）。
【請求項４】
前記第１の中心導体部品（３０）は、前記第１の外側導体部品（１４）に固定式に連結され、前記第２の中心導体部品（３２）は、前記第２の外側導体部品（１６）に固定式に連結されることを特徴とする請求項２または３に記載の同軸コネクタ（１００，３００）。
【請求項５】
前記第１の弾力性のある弾性部材（２２）は、コイルばねであることを特徴とする請求項２ないし４の少なくとも一項に記載の同軸コネクタ（１００，３００）。
【請求項６】
軸方向に互いに離れる前記２つの外側導体部品（１４，１６）の移動を制限する第１のストッパ（３６）を備えていることを特徴とする請求項２ないし５の少なくとも一項に記載の同軸コネクタ（１００）。
【請求項７】
前記２つの外側導体部品（１４，１６）の周りに嵌合する外側導体スリーブ（２４）が設けられ、該外側導体スリーブは、前記２つの外側導体部品（１４，１６）の互いに離れる軸方向の移動を制限する第２のストッパ（２６）を有することを特徴とする請求項２ないし５の少なくとも一項に記載の同軸コネクタ（３００）。
【請求項８】
前記第１の中心導体部品（３０）は、前記第１の外側導体部品（１４）に対して軸方向に移動可能であり、
前記第２の中心導体部品（３２）は、前記第２の外側導体部品（１６）に対して軸方向に移動可能であり、
前記中心導体の前記２つの部品（３０，３２）を互いに軸方向に引き離す第２の弾力性のある弾性部材が、前記中心導体に設けられることを特徴とする請求項２または３に記載の同軸コネクタ。
【請求項９】
前記第２の弾力性のある弾性部材は、コイルばねであることを特徴とする請求項８に記載の同軸コネクタ。
【請求項１０】
軸方向に互いに離れる前記２つの中心導体部品（３０，３２）の移動を制限する第３のストッパが少なくとも１つ設けられることを特徴とする請求項８および９の少なくとも一項に記載の同軸コネクタ。
【請求項１１】
前記第３のストッパが、前記外側導体部品（１４，１６）のそれぞれに形成されることを特徴とする請求項１０に記載の同軸コネクタ。
【請求項１２】
前記外側導体部品（１４，１６）の前記第３のストッパは、前記外側導体部品（１４，１６）内部で前記中心導体部品（３０，３２）を保持する各絶縁ディスク（２０）に当接されるように、配置、設計されることを特徴とする請求項１１に記載の同軸コネクタ。
【請求項１３】
前記中心導体の前記２つの部品（３０，３２）が、前記中心導体に対して軸方向にそれぞれ移動できるように配置、設計されることを特徴とする請求項１０に記載の同軸コネクタ。
【請求項１４】
前記中心導体の前記２つの部品（３０，３２）を互いに軸方向に引き離す第２の弾力性のある弾性部材が、前記中心導体に設けられることを特徴とする請求項１３に記載の同軸コネクタ。
【請求項１５】
前記第２の弾力性のある弾性部材は、コイルばねであることを特徴とする請求項１４に記載の同軸コネクタ。
【請求項１６】
軸方向に互いに離れる前記２つの中心導体部品（３０，３２）の移動を制限する第３のストッパが少なくとも１つ設けられることを特徴とする請求項１３ないし１５の少なくとも一項に記載の同軸コネクタ。
【請求項１７】
前記外側導体の前記第３のストッパは、前記外側導体内部で前記中心導体を保持する各絶縁ディスク（２０）に当接されるように、配置、設計されることを特徴とする請求項１６に記載の同軸コネクタ。
【発明の詳細な説明】
【技術分野】
【０００１】
本発明は、第１の挿入用端部および第１の挿入用端部と軸方向に対向する位置にある第２の挿入用端部を有する外側導体と、第１の挿入用端部および第１の挿入用端部と軸方向に対向する位置にある第２の挿入用端部を有する中心導体とを備えた、請求項１のプリアンブルで定義される同軸コネクタに関する。
【背景技術】
【０００２】
特許文献１により、外側導体スリーブおよび中心導体を有し、同軸ソケットを回路基板に連結するための同軸連結部品が知られている。ソケット入口に生じる軸方向と径方向の力が回路基板に加わらないように、弾性的に変形する導電材料製の蛇腹が、中心導体内に配置される。この弾性蛇腹は例えば、ニッケルの薄層を電気めっきでアルミニウム製のブランク材に付着させることによって製造される。弾性蛇腹があっても、この連結部品は反射が小さくなるように作ることができる。蛇腹の輪郭形状は、その蛇腹のところでも、例えば５０Ωという予め決められた標準抵抗が同軸外側導体スリーブ内に形成されるように選択される。これは、高周波電磁場解析用の３Ｄシミュレータを利用して計算し、適用することができる。
【０００３】
特許文献２により、蛇腹構造の形をした置き換え可能な減衰スリーブが外側導体に配置された同軸インターフェースが知られている。この減衰スリーブは、連結手段を引き抜いたときに、外側導体と蛇腹構造によって、導波管による例えば２０ＧＨｚという下限周波数の減衰が生じるように設計されている。したがって、その機械的に開放されたＲＦ接続部は、電気的に遮蔽、終端されているとみなすことが可能になる。しかし、同軸インターフェースを挿入して接続しているときは、電気的および機械的特性に変化は生じない。一方で、挿入状態で機械的かつ電気的に接触する外側導体スリーブが設けられる。したがって、この外側導体スリーブが挿入された状態では、蛇腹構造体が電気的に無効になる。
【先行技術文献】
【特許文献】
【０００４】
【特許文献１】ドイツ国特許第１０２００４０４４９７５Ａ１号
【特許文献２】ドイツ国特許第１９９２６４８３Ａ１号
【発明の開示】
【発明が解決しようとする課題】
【０００５】
本発明の基本的な目的は、上述した種類の同軸コネクタを、その周波数動作と操作上の安全性および信頼性の点について改良することである。
【０００６】
この目的は、本発明に従って、請求項１の特徴部分で与えられる特徴を有する上述した種類の同軸コネクタによって達成される。本発明の有利な実施形態については、その他の請求項に記載されている。
【課題を解決するための手段】
【０００７】
上述した種類の同軸コネクタにおいて、本発明によると、中心導体は、第１の挿入用端部を形成する第１の中心導体部品と、第２の挿入用端部を形成する第２の中心導体部品とからなる２つの別部品を備え、中心導体の２つの部品が互いに軸方向に移動できるように配置、設計され、中心導体は２つの中心導体部品の間に弾性中心導体蛇腹の形を有し、弾性中心導体蛇腹は、その長さが変化しても同軸コネクタの特性インピーダンスがほぼ一定のままであるように、その蛇腹の変動したキャパシタンスが、それに対応して逆向きに変動する蛇腹自体のインダクタンスによって補償されるように設計される。
【０００８】
この利点とは、外側導体の長さを補償する手段を有する、２０ＧＨｚを超える周波数のときに用いられるＲＦ用の同軸コネクタを利用することが可能であるということ、外側導体の長さが変化しても同軸コネクタの電気的および機械的特性は不利な影響を受けず、逆に、広い周波数範囲にわたって改善されるということである。
【０００９】
外側導体の場合に使用可能な長さまたは公差を補償する手段、したがって、同軸コネクタの電気的特性をさらに改善するには、外側導体は、外側導体の第１の挿入用端部を形成する第１の外側導体部品と、外側導体の第２の挿入用端部を形成する第２の外側導体部品とからなる２つの別部品を有し、外側導体の２つの部品が互いに軸方向に移動できるように配置、設計され、外側導体は２つの外側導体部品の間に弾性外側導体蛇腹の形を有し、外側導体の２つの部品を互いに軸方向に引き離す第１の弾力性のある弾性部材が外側導体に設けられ、弾性外側導体蛇腹が、その長さが変化しても同軸コネクタの特性インピーダンスがほぼ一定のままであるように、その蛇腹の変動したキャパシタンスが、それに対応して逆向きに変動する蛇腹自体のインダクタンスによって補償されるように設計される。
【００１０】
１つの例示的実施形態では、第１の中心導体部品が第１の外側導体部品に固定式に連結され、第２の中心導体部品が第２の外側導体部品に固定式に連結される。
【００１１】
第１の弾力性のある弾性部材は、例えばコイルばねである。
【００１２】
軸方向に互いに離れる２つの外側導体部品の移動を制限する第１のストッパが設けられることが有用である。
【００１３】
１つの好ましい実施形態では、２つの外側導体部品の周りに嵌合する外側導体スリーブが設けられ、該外側導体スリーブは、軸方向に互いに離れる２つの外側導体部品の移動を制限する第２のストッパを有する。
【００１４】
第１の中心導体部品が、第１の外側導体部品に対して軸方向に移動可能であり、第２の中心導体部品が、第２の外側導体部品に対して軸方向に移動可能であり、中心導体の２つの部品を互いに軸方向に引き離す第２の弾力性のある弾性部材を中心導体に設けることによって、外側導体部品とは独立した接触力が、中心導体の対向する両挿入用端部で得られる。
【００１５】
１つの好ましい実施形態では、第２の弾力性のある弾性部材は、コイルばねである。
【００１６】
軸方向に互いに離れる２つの中心導体部品の移動を制限する第３のストッパが少なくとも１つ設けられると有用である。
【００１７】
例えば、第３のストッパは外側導体部品のそれぞれに形成される。
【００１８】
１つの好ましい実施形態では、外側導体部品の第３のストッパは、外側導体部品内部で中心導体部品を保持する各絶縁ディスクに当接されるように配置、設計される。
【００１９】
外側導体上に弾性蛇腹がない場合や、外側導体が２つに分割されていない場合であっても、１つの例示的実施形態では、中心導体の２つの部品が、外側導体に対して軸方向に移動できるようにそれぞれ配置、設計される。この場合、中心導体の２つの部品を互いに軸方向に引き離す第２の弾力性のある弾性部材が中心導体に設けられる。第１の弾力性のある弾性部材は、例えばコイルばねである。軸方向に互いに離れる２つの中心導体部品の移動を制限する少なくとも１つの第３のストッパが設けられると有用である。第３のストッパは、外側導体内部で中心導体を保持する各絶縁ディスクに当接されるように、外側導体などに配置、設計される。
【図面の簡単な説明】
【００２０】
【図１】本発明による同軸コネクタの第１の好ましい実施形態の断面図である。
【図２】第１の好ましい実施形態と同形の複数の同軸コネクタの配列の部分断面図である。
【図３】本発明による同軸コネクタの第２の好ましい実施形態の断面図である。
【発明を実施するための最良の形態】
【００２１】
下記に、本発明を図面を参照して詳細に説明する。
【００２２】
図１および２に示されている、本発明による同軸コネクタ１０の第１の好ましい実施形態は、中心導体および外側導体を備える。外側導体は、外側導体の第１の挿入用端部を形成する第１の外側導体部品１４と、外側導体の第２の挿入用端部を形成する第２の外側導体部品１６とで構成される。中心導体１２は、２つの部品、第１の中心導体部品３０と第２の中心導体部品３２で構成され、この２つの中心導体部品３０と３２の間で、弾性中心導体蛇腹３４の形をとる。２つの中心導体部品３０、３２はそれぞれ、２つの外側導体部品１４、１６に対して固定式または可動式に、絶縁ディスク２０によって保持される。すなわち第１の中心導体部品３０は、絶縁ディスク２０によって第１の外側導体部品１４に固定式または可動式に連結され、第２の中心導体部品３２は、絶縁ディスク２０によって、第２の外側導体部品１６に固定式または可動式に連結される。以上から、上記中心導体で、同軸コネクタ１００が挿入されたときの長さおよび公差を補償する手段を利用することができる。外側導体部品１４、１６と中心導体部品３０、３２が互いに移動可能である場合、第２のコイルばね（図示せず）をさらに、そのばねが２つの中心導体部品３０、３２を互いに押し離すように、中心導体に配置すると有益である。それによって、外側導体とは独立した、長さおよび公差を補償する手段が形成される。
【００２３】
図１および２に示されている実施形態では、第１の中心導体部品３０は、絶縁ディスク２０によって第１の外側導体部品１４に固定式に連結され、第２の中心導体部品３２は、絶縁ディスク２０によって第２の外側導体部品１６に固定式に連結される。この２つの外側導体部品１４、１６は互いに係合し、互いに離れる軸方向の移動を制限する第１のストッパ３６を形成する。中心導体部品３０、３２がそれぞれの外側導体部品１４、１６に固定式に連結されていることで、この第１のストッパ３６は同時に、互いに離れようとする２つの中心導体部品３０、３２の軸方向の移動も制限する。第１のストッパ３６に対抗して２つの外側導体部品１４、１６を軸方向に互いに押し離すように配置、設計されたコイルばね２２も設けられる。
【００２４】
弾性中心導体蛇腹３４は、長さの変化量に基づいて、長さおよび公差を補償する手段を形成するように設計される。つまり、弾性中心導体蛇腹３４の長さが変化した場合であっても、同軸コネクタ１００の特性インピーダンスがほぼ一定のままであるように、弾性中心導体蛇腹３４の長さが変化したときに変動するキャパシタンスは、その変動に対応して逆向きに変動する弾性中心導体蛇腹３４のインダクタンスによって補償される。
【００２５】
図２に示されるように、第１の実施形態と同形の同軸コネクタ１０が複数配置された形態では、同軸コネクタ１０はハウジング３８内部で互いに隣接して配置され、一方の端部で相手側同軸コネクタ２８に連結される。同軸コネクタ１０を挿入するための未使用の各端部は、互いに隣接して同様に配置された相手側同軸コネクタ（図示せず）を挿入するために使用され、可能性のあることだが、相手側同軸コネクタ２８が正確に隣り合って配置されない場合、公差に基づく差分が弾性中心導体蛇腹３４によって補償される。
【００２６】
図３に、本発明による同軸コネクタ３００の第２の好ましい実施形態が示されている。図１および２と同じ機能の部品は、図１および２と同じ参照番号で識別される。つまり、そういった部品の説明については、図１および２の上記の説明を参照されたい。図１および２に示されている第１の実施形態と異なり、外側導体は、２つの外側導体部品１４と１６の間で、弾性外側導体蛇腹１８の形をとる。こうすることで、２つの外側導体部品１４と１６は、互いに対して軸方向に移動することができる。これにより、外側導体とは独立した、公差および長さを補償する手段が形成される。
【００２７】
第１の実施形態１００にある第１のストッパ３６の代わりに、図３に示されている第２の実施形態３００には、２つの外側導体部品１４、１６を取り囲み、これら外側導体部品１４、１６を軸方向に案内するとともに、その２つの外側導体部品１４、１６が互いに離れる軸方向の移動を制限するストッパ２６が形成された外側導体スリーブ２４が設けられる。コイルばね２２が、予荷重をかけて外側導体スリーブ２４内に嵌められるので、コイルばね２２は、図３に示されているように同軸コネクタが挿入されていない状態にあるときに、２つの外側導体部品１４、１６をストッパ２６に押しつける。
【図１】
2010531526.tif 000003
【図２】
2010531526.tif 000004
【図３】
2010531526.tif 000005
【手続補正書】
【提出日】平成21年1月23日(2009.1.23)
【手続補正１】
【補正対象書類名】特許請求の範囲
【補正対象項目名】全文
【補正方法】変更
【補正の内容】
【特許請求の範囲】
【請求項１】
第１の挿入用端部および該第１の挿入用端部と軸方向に対向する位置にある第２の挿入用端部を有する外側導体と、第１の挿入用端部および該第１の挿入用端部と軸方向に対向する位置にある第２の挿入用端部を有する中心導体とを備え、
前記中心導体は、前記中心導体の前記第１の挿入用端部を形成する第１の中心導体部品（３０）と前記中心導体の前記第２の挿入用端部を形成する第２の中心導体部品（３２）との２つの別部品（３０，３２）を有するとともに、前記中心導体は、２つの中心導体部品（３０，３２）の間に弾性中心導体蛇腹（３４）の形を有することで、前記中心導体の前記２つの部品（３０，３２）は、互いに軸方向に移動できるように配置、設計され、
前記弾性中心導体蛇腹（３４）は、その長さが変化しても同軸コネクタの特性インピーダンスがほぼ一定のままであるように、その蛇腹の変動したキャパシタンスが、それに対応して逆向きに変動する蛇腹自体のインダクタンスによって補償されるように設計され、
前記外側導体は、前記外側導体の前記第１の挿入用端部を形成する第１の外側導体部品（１４）と、前記外側導体の前記第２の挿入用端部を形成する第２の外側導体部品（１６）との２つの別部品（１４，１６）を有するとともに、前記外側導体の前記２つの部品（１４，１６）が、互いに軸方向に移動できるように配置、設計され、
前記外側導体の前記２つの部品を互いに軸方向に引き離す第１の弾力性のある弾性部材（２２）が前記外側導体に設けられ、前記第１の中心導体部品（３０）が前記第１の外側導体部品（１４）に対して軸方向に移動可能である同軸コネクタ（１００，３００）であって、
前記第２の中心導体部品（３２）が、前記第２の外側導体部品（１６）に対して軸方向に移動可能であり、
前記２つの中心導体部品（３０，３２）を互いに軸方向に引き離す第２の弾力性のある弾性部材が前記中心導体に設けられ、
軸方向に互いに引き離される前記２つの中心導体部品（３０，３２）の移動を制限する第３のストッパを、前記外側導体部品（１４，１６）のそれぞれに少なくとも１つ設けたことを特徴とする同軸コネクタ（１００，３００）。
【請求項２】
前記外側導体は、２つの外側導体部品（１４，１６）の間に、弾性外側導体蛇腹（１８）の形を有し、前記弾性外側導体蛇腹（１８）は、その長さが変化しても同軸コネクタの特性インピーダンスがほぼ一定のままであるように、その蛇腹の変動したキャパシタンスが、それに対応して逆向きに変動する蛇腹自体のインダクタンスによって補償されるように設計されることを特徴とする請求項１に記載の同軸コネクタ（３００）。
【請求項３】
前記第２の弾力性のある弾性部材は、コイルばねであることを特徴とする請求項１または２に記載の同軸コネクタ。
【請求項４】
前記外側導体部品（１４，１６）の前記第３のストッパは、前記外側導体部品（１４，１６）内部で前記中心導体部品（３０，３２）を保持する各絶縁ディスク（２０）に当接されるように配置、設計されることを特徴とする先行する請求項の少なくとも一項に記載の同軸コネクタ。
【国際調査報告】
2010531526.tif 000006
2010531526.tif 000007
2010531526.tif 000008
2010531526.tif 000009
2010531526.tif 000010
2010531526.tif 000011